(57)【要約】【課題】インターネット電話で通話中に、周囲の雰囲気の臨場感を相手先に伝えることができるインターネット通話システム、インターネット電話アダプタ、及びインターネット電話アダプタ用プログラムを提供する。【解決手段】通話する際に発信者が受信者に周囲の雰囲気などを伝えたい場合、受信者の電話番号とともにコンテンツサーバの電話番号を入力する。コンテンツサーバには、発信者の周囲の環境音を集音して立体音響データとしてリアルタイムに配信するものや音楽を配信するものなどがある。受信側電話装置では、電話機が発呼する際に送信側で指定されたコンテンツサーバの情報が通知されるので、このＩＰアドレス情報に基づいてコンテンツサーバに接続して立体音響データを取得して、電話装置に接続されたサラウンドシステムで立体音響を再生する。これにより、受信者は、発信者と通話しながら、発信者とほぼ同じ雰囲気を体感できる。【選択図】図１
2004266620.tif 000002
【特許請求の範囲】
【請求項１】
相手先と音声通話をするための通話手段と、
通話音声とは別にインターネットから受信した音響を再生する音響再生手段と、
インターネット上で音響コンテンツをストリーミング配信する音響サーバを指定する音響サーバ指定情報が添付された接続要求コマンドを発信側電話装置から受信した時、この発信側電話装置と前記通話手段とを相互接続するとともに、前記音響サーバ指定情報で指定された音響サーバに接続して音響コンテンツを受信し、前記音響再生手段を用いてこの音響コンテンツを再生する制御手段と、
を備えたことを特徴とするインターネット電話装置。
【請求項２】
前記音響再生手段は、立体的に音響コンテンツを再生する複数の音声出力手段を備え、
前記音響サーバは、前記音響再生手段で再生可能な立体音響の音響コンテンツをストリーミング配信する請求項１に記載のインターネット電話装置。
【請求項３】
請求項１に記載の複数のインターネット電話装置と、音響コンテンツをストリーミング配信する音響サーバと、をインターネットを介して接続したことを特徴とするインターネット電話システム。
【請求項４】
前記音響サーバは、複数の集音手段で集音している環境音の立体的な音響を配信する請求項３に記載のインターネット電話システム。
【請求項５】
相手先と音声通話をするための通話手段と、通話音声とは別にインターネットから受信した音響を再生する音響再生手段と、を備えたインターネット電話装置の制御部に、
インターネット上で音響コンテンツをストリーミング配信する音響サーバを指定する音響サーバ指定情報が添付された接続要求コマンドを発信側電話装置から受信する手順、この発信側電話装置と前記通話手段とを相互接続するとともに、前記音響サーバ指定情報で指定された音響サーバに接続して音響コンテンツを受信する手順、前記音響再生手段を用いてこの音響コンテンツを再生する手順を実行させるためのインターネット電話装置用プログラム。
【発明の詳細な説明】
【０００１】
【発明の属する技術分野】
本発明は、音声情報ともに、立体音響情報を配信するインターネット電話システム、このインターネット電話システムを構成するインターネット電話アダプタ、インターネット電話アダプタ用のソフトウェアに関する。
【０００２】
【従来の技術】
近時、ヘッドセットを接続したパソコンやインターネット電話用アダプタに接続した電話機などを使用し、インターネットを電話回線として使用して通話ができるインターネット電話が普及しつつある。インターネット電話は、上記のように電話回線としてインターネットを使用し、電話会社が所有する電話回線を全く使用しないか、または使用しても例えば家庭から最寄りの電話交換機までの電話回線のみなので、電話料金を距離や通話時間などに関係なく低額、一定額または無料に設定されている。
【０００３】
ところで、通話者は、通話中に周囲の雰囲気を相手に伝えたいことがある。このような場合、通話者は、ヘッドセットのマイクや受話器で周囲の音（環境音）を集音して、相手に聞かせることで周囲の雰囲気を伝えることができる。しかしながら、ヘッドセットのマイクや受話器では、モノラル音しか集音できないため、通話者の周囲の雰囲気を完全に伝えることができないという問題がある。
【０００４】
そこで、従来、高音質で臨場感のある電話通信を実現できるステレオ電話装置があった（例えば、特許文献１参照。）。
【０００５】
【特許文献１】
特開平６−２６８７２２号公報（第２，３頁、第１−６図）
【０００６】
【発明が解決しようとする課題】
特許文献１に記載のステレオ電話装置では、ステレオ電話機同士でステレオの音声相互通信を行うことができるので、モノラル音よりも立体感のある音声で会話をすることができる。また、このステレオ電話装置では、音声相互通信機能以外に音楽配信センターから音楽の供給サービスを受ける機能がある。
【０００７】
しかしながら、特許文献１に記載のステレオ装置では、通話用のマイクを使って周囲の環境音も伝えるため、ステレオ電話機同士で通話中に、環境音を相手にうまく伝えることができなかった。また、特許文献１に記載のステレオ電話装置では、ステレオ電話機同士で通話中に、音楽の供給サービスを受けることができないため、上記のサービスがあったとしても、通話中に、同時に、環境音や音楽の供給を受けられないという問題があった。
【０００８】
そこで、本発明は、インターネット電話で通話中に、周囲の雰囲気の臨場感を相手先に伝えることができるインターネット通話システム、インターネット電話アダプタ、及びインターネット電話アダプタ用プログラムを提供することを目的とする。
【０００９】
【課題を解決するための手段】
この発明は、上記の課題を解決するための手段として、以下の構成を備えている。
【００１０】
（１）相手先と音声通話をするための通話手段と、
通話音声とは別にインターネットから受信した音響を再生する音響再生手段と、
インターネット上で音響コンテンツをストリーミング配信する音響サーバを指定する音響サーバ指定情報が添付された接続要求コマンドを発信側電話装置から受信した時、この発信側電話装置と前記通話手段とを相互接続するとともに、前記音響サーバ指定情報で指定された音響サーバに接続して音響コンテンツを受信し、前記音響再生手段を用いてこの音響コンテンツを再生する制御手段と、
を備えたことを特徴とする。
【００１１】
この構成においては、インターネット電話で通話する際に、発信者が受信者に自分の周囲の雰囲気などを伝えたい場合、受信者の電話番号とともに音響サーバの電話番号など接続情報を入力する。受信側電話装置では、電話が発呼する際に送信側で指定された音響サーバの接続情報が通知されるので、この情報に基づいて音響サーバに接続して音響コンテンツを取得して、受信側電話装置に接続された音響再生手段で音響コンテンツを再生する。これにより、受信者は、発信者と通話しながら、発信者とほぼ同じ雰囲気を体感することができる。
【００１２】
（２）前記音響再生手段は、立体的に音響コンテンツを再生する複数の音声出力手段を備え、
前記音響サーバは、前記音響再生手段で再生可能な立体音響の音響コンテンツをストリーミング配信することを特徴とする。
【００１３】
電話の通話中に発信者が受信者と同じ雰囲気を体感したい場合、受信者の電話番号とともに音響サーバの電話番号を入力する。音響サーバには、山や海の環境音や音楽などのような立体音響の音響コンテンツを配信している。発信側電話装置及び受信側電話装置では、音響サーバに接続して音響コンテンツを取得して、受信側電話装置に接続された立体音響再生手段で立体音響を再生する。これにより、受信者と発信者とは、通話しながら音響コンテンツを再生することで、臨場感のある環境音や音楽などを同時に体感することができる。
【００１４】
（３）（１）に記載の複数のインターネット電話装置と、音響コンテンツをストリーミング配信する音響サーバと、をインターネットを介して接続したことを特徴とする。
【００１５】
この構成においては、インターネット電話装置間で通話中に、このインターネット電話装置へ音響サーバから音響コンテンツを配信して、インターネット電話装置に接続された音響再生手段を介して、通話中のユーザに通話の相手の音声だけでなく音響コンテンツを提供することができる。
【００１６】
（４）前記音響サーバは、複数の集音手段で集音している環境音の立体的な音響を配信することを特徴とする。
【００１７】
この構成においては、電話の受信者や送信者は、自然の環境音など音響コンテンツをリアルタイムに聞くことができる。したがって、インターネット電話装置のユーザは、通話中に自然の音などを楽しむことができる。
【００１８】
（５）相手先と音声通話をするための通話手段と、通話音声とは別にインターネットから受信した音響を再生する音響再生手段と、を備えたインターネット電話装置の制御部に、
インターネット上で音響コンテンツをストリーミング配信する音響サーバを指定する音響サーバ指定情報が添付された接続要求コマンドを発信側電話装置から受信する手順、この発信側電話装置と前記通話手段とを相互接続するとともに、前記音響サーバ指定情報で指定された音響サーバに接続して音響コンテンツを受信する手順、前記音響再生手段を用いてこの音響コンテンツを再生する手順を実行させることを特徴とする。
【００１９】
この構成においては、（１）と同様の効果を得ることができる。
【００２０】
【発明の実施の形態】
まず、本発明の概略を説明する。本発明では、インターネット電話装置間で通話する際に、発信者が受信者に周囲の雰囲気などを伝えたい場合、受信者の電話番号とともにコンテンツサーバの電話番号を入力する。コンテンツサーバには、発信者の周囲の環境音を集音して立体音響データとしてリアルタイムに配信するものや音楽を配信するものなどがある。受信側電話装置では、電話機が発呼する際に送信側で指定されたコンテンツサーバの情報が通知されるので、この通知されたＩＰアドレス情報に基づいてコンテンツサーバに接続して立体音響データを取得して、電話装置に接続されたサラウンドシステムで立体音響を再生する。これにより、受信者は、発信者と通話しながら、発信者とほぼ同じ雰囲気を体感することができる。
【００２１】
次に、本発明の実施形態に係るインターネット電話システムについて、図を参照しながら説明する。図１は、本実施の実施形態に係るインターネット電話システムの概略構成を示したブロック図である。図１に示すように、インターネット電話システム１は、発信側電話装置２、受信側電話装置３、電話番号サーバ４、音響サーバであるコンテンツサーバ５及びコンテンツサーバ６、ＩＳＰ（Ｉｎｔｅｒｎｅｔ  Ｓｅｒｖｉｃｅ  Ｐｒｏｖｉｄｅｒ）７、並びにＩＳＰ８から成り、それぞれインターネット９に接続されている。
【００２２】
なお、図１ではインターネット９に接続するためのモデムやルータなどの機器の表示を省略している。
【００２３】
発信側電話装置２、受信側電話装置３、コンテンツサーバ５、及びコンテンツサーバ６には、電話番号及びＩＰアドレスが割り当てられており、電話回線としてインターネット９を介して通話することができる。また、コンテンツサーバ５，６から立体音響データの配信を受けることができる。
【００２４】
電話番号サーバ４は、ＤＮＳサーバの一種であり、電話番号とＩＰアドレスとの対応関係を記述したデータベースを管理しており、クライアントからの要求に応じて、電話番号に対応するＩＰアドレスを参照できる。
【００２５】
コンテンツサーバ５，６は、設置場所近傍の環境音を複数のマイク（集音手段）３１，３２で集音した立体音響データなどの音響コンテンツを圧縮して、リアルタイムに途切れることなくストリーミング配信する。例えば、ドルビーデジタル（登録商標）やＤＴＳ（登録商標）などの５．１チャンネルサラウンドシステム（立体音響再生システム）で再生できるように、複数のマイクで集音したアナログ音声を所定のディジタル圧縮フォーマットで圧縮変換して、インターネット９を介して配信する。また、コンテンツサーバ５やコンテンツサーバ６は、受信側電話装置３に接続された音響再生手段の性能に応じて、５．１チャンネルだけでなく、２チャンネル（ステレオ）の立体音響データ、６．１チャンネルや７．１チャンネルの立体音響データなどを配信することができる。さらに、コンテンツサーバ５，６は、電話装置から接続要求があった時のインターネット９の回線の混み具合や契約回線の通信容量に応じて、配信する立体音響データのチャンネル数の増減を問い合わせたり、チャンネル数を減少させたりすることができる。
【００２６】
また、コンテンツサーバ５，６は、複数組のマイクを備えており、同じ場所の立体音響データであるが異なった内容の立体音響データを提供することができる。例えば、サッカースタジアムにおいて、一方のチームを応援するサボータの歓声、他方のチームを応援するサボータの歓声、スタジアム全体の観客の歓声などを配信することができる。
【００２７】
なお、コンテンツサーバは、例えば、観光地、競技場、山奥の秘境など様々な場所の環境音を立体音響データとして集音できる場所に、コンテンツサーバ５やコンテンツサーバ６以外にも複数設置されている。
【００２８】
ＩＳＰ７は、発信側電話装置２をインターネット９に接続するためのものである。ＩＳＰ８は、受信側電話装置３をインターネット９に接続するためのものである。
【００２９】
発信側電話装置２は、ＩＳＰ７を介してインターネット９に接続されている。発信側電話装置２は、第１のインターネット電話アダプタであるＶｏＩＰアダプタ１１、電話機１２、音響再生手段であるオーディオアンプ１３及び６つのスピーカ１４〜１９（左メインスピーカ１４、右メインスピーカ１５、センタスピーカ１６、左リアスピーカ１７、右リアスピーカ１８、及びサブウーファ１９）、並びにモニタ２０から成る。オーディオアンプ１３及び６つのスピーカ１４〜１９によって、５．１チャンネルサラウンドシステムが構成される。発信側電話装置２は、もちろん電話を受信することもできる。また、発信側電話装置２は、発信専用に使用する場合、オーディオアンプ１３、及び６つのスピーカ１４〜１９を備えない構成であっても良い。
【００３０】
受信側電話装置３は、ＩＳＰ８を介してインターネット９に接続されている。受信側電話装置３は、第２のインターネット電話アダプタであるＶｏＩＰアダプタ２１、電話機２２、立体音響再生手段であるオーディオアンプ２３及び６つのスピーカ２４〜２９（左メインスピーカ２４、右メインスピーカ２５、センタスピーカ２６、左リアスピーカ２７、右リアスピーカ２８、及びサブウーファ２９）、並びにモニタ３０から成る。オーディオアンプ２３及び６つのスピーカ２４〜２９によって、５．１チャンネルサラウンドシステムが構成される。受信側電話装置２は、もちろん電話を発信する（電話をかける）こともできる。
【００３１】
発信側電話装置２及び受信側電話装置３において、５．１チャンネルサラウンドシステムとしては、近時普及しつつある所謂ホームシアタシステムを使用すると良い。
【００３２】
ＶｏＩＰアダプタ１１及びＶｏＩＰアダプタ２１は、図２に示すような構成である。図２は、ＶｏＩＰアダプタの構成を示したブロック図である。ＶｏＩＰアダプタ１１は、制御部（制御手段）であるＣＰＵ５１、ＲＯＭ５２、ＲＡＭ５３、ディジタルオーディオインタフェース５４、電話機インタフェース５５、ネットワークインタフェース５６が、バス５７を介してそれぞれ接続されている。ＶｏＩＰアダプタ１１の場合、ディジタルオーディオインタフェース５４には、オーディオアンプ１３が接続される。電話機インタフェース５５には、電話機１２が接続される。ネットワークインタフェース５６には、ＩＳＰ７を介してインターネット９が接続されている。
【００３３】
ＣＰＵ５１は、ＶｏＩＰアダプタ１１の各部の制御の他に、インターネット電話のプロトコル制御、オーディオストリームデータの制御、電話機の制御、オーディオデータのフォーマット変換などを行う。
【００３４】
ＲＯＭ５２は、各種制御や変換処理をＣＰＵ５１で行うためのプログラムを記憶しており、ＣＰＵ５１から随時読み出される。ＲＡＭ５３は、各種データを一時的に記憶する。
【００３５】
ここで、発信側電話装置２及び受信側電話装置３は同様の構成であるため、受信側電話装置３を構成する各部について説明する。ＶｏＩＰアダプタ２１は、発信側電話装置２の電話機１２からＶｏＩＰアダプタ１１を経由して送信されたパケット単位の音声データを電話機２２で再生できるように復元して電話機２２へ出力する。また、電話機２２からの音声データをパケット単位に分割して、発信側電話装置２のＶｏＩＰアダプタ１１へ送信する。さらに、コンテンツサーバ５または６から送信された圧縮されている立体音響データを、オーディオアンプ２３で増幅可能な状態に展開してオーディオアンプ２３へ出力する。オーディオアンプ２３は、スピーカ２４〜２９へ立体音響データを出力して、例えば、５．１チャンネルサラウンドシステムを再生することができる。モニタ３０は、図外のＤＶＤプレーヤなどから出力された動画データを表示することができる。
【００３６】
次に、本発明の実施形態に係るインターネット電話システムの動作を説明する。以下の説明では、ある観光地に居る発信者が発信側電話装置２から受信側電話装置３へ通話する場合の動作について説明する。また、発信者がいる観光地には、周囲の環境音を集音して立体音響データを音響コンテンツとしてリアルタイムにストリーミング配信するコンテンツサーバ６が設置されている。図３は、本発明の実施形態に係るインターネット電話システムの動作を説明するためのフローチャートである。図３に示すように、発信者は、発信側電話装置２の電話機１２から受信側電話装置３の電話機２２の電話番号を入力する。また、この時、発信者は自分の周囲の雰囲気を受信者に体感してもらうために、自分の周囲の環境音を集音して立体音響データを配信するコンテンツサーバ６の電話番号を入力する（ｓ１）。
【００３７】
電話機１２から入力された電話番号データは、ＶｏＩＰアダプタ１１の電話機インタフェース５５を介してＲＡＭ５３に一端格納される。ＣＰＵ５１は、これら２つの電話番号が割り当てられた相手先及びコンテンツサーバのＩＰアドレスを取得するために、インターネット９に接続された電話番号サーバ４にアクセスする  （ｓ２）。
【００３８】
電話番号サーバ４は、問い合わせのあった電話番号に対応するＩＰアドレスを検索し（ｓ１１）、検出したＩＰアドレスをＶｏＩＰアダプタ１１に送信する  （ｓ１２）。ＶｏＩＰアダプタ１１は、電話番号サーバ４から送信されたＩＰアドレスを受信すると（ｓ３）、このＩＰアドレスに基づいて受信側電話装置３に対して所定の接続要求を行う（ｓ４）。また、この時、ＶｏＩＰアダプタ１１は、受信側電話装置３のＶｏＩＰアダプタ２１に対してコンテンツサーバのＩＰアドレス情報を送信する（ｓ５）。
【００３９】
受信側電話装置３のＶｏＩＰアダプタ２１は、ＶｏＩＰアダプタ１１からの接続要求に呼応して発信側電話装置２との通信を確立し（ｓ２１）、通話が可能な状態になる（ｓ６，ｓ２３）。また、コンテンツサーバ６のＩＰアドレス情報に基づいて（ｓ２２）、コンテンツサーバ６に対して接続要求を行う（ｓ２４）。
【００４０】
一方、コンテンツサーバ６は、リアルタイムに集音した立体音響データをインターネット９に接続された電話装置などからの配信要求に応じるために、常に以下の処理を行っている。すなわち、発信者がいる場所の任意の位置に設置された複数のマイクで環境音を集音する（ｓ３１）。集音されたアナログ音声データは、図外のＡ／Ｄコンバータを介してサーバの記憶部にディジタルデータとして一端格納される（ｓ３２）。また、集音された音声データは、ドルビーデジタル  （登録商標）やＤＴＳ（登録商標）などの５．１チャンネルサラウンドシステムで再生可能な圧縮方式で１ストリームの立体音響データに圧縮変換される（ｓ３３）。そして、コンテンツサーバ６は、インターネット９を介して配信するために設けられた図外のバッファに、書き込みを行って随時データを最新のものに更新する（ｓ３４）。
【００４１】
コンテンツサーバ６は、ＶｏＩＰアダプタ２１からの接続要求に呼応して受信側電話装置３との通信を確立し（ｓ３５）、立体音響データをパケットに分割しながらインターネット９を介して、ＶｏＩＰアダプタ２１へストリーミング配信する（ｓ３６）。
【００４２】
受信側電話装置３のＶｏＩＰアダプタ２１は、立体音響データを受信すると  （ｓ２５）、このデータをＳＰＤＩＦ信号（ディジタルオーディオ信号）に変換して（ｓ２６）、オーディオアンプ２３に出力する（ｓ２７）。オーディオアンプ２３は、この立体音響データを受信すると、内蔵するデコーダで５．１チャンネルサラウンドシステムで再生可能な音声に伸長して（ｓ４１）、各音声信号をスピーカ２４〜２９に出力して立体音響を再生する（ｓ４２）。
【００４３】
以上のような動作により、発信者は、受信者と通話する際に、発信者の周囲の環境音を受信者の５．１チャンネルサラウンドシステムで再生させることで、受信者に発信者の周囲の雰囲気を体感させることができる。これにより、受信者は、例えば送信者が聞いているビーチの波の音やスタジアムの歓声など、臨場感のある音声を自宅などで聞くことができる。
【００４４】
また、上記のシステムにおいては、受信側電話装置３のみで立体音響データを再生するようにしたが、通話時に例えば、森の中の環境音など発信者の所望の場所の立体音響データや、音楽を配信するコンテンツサーバから受信側電話装置３と発信側電話装置２とに配信させることもできる。この場合、図３に示したフローチャートのステップｓ５において、取得したＩＰアドレス情報を受信側電話装置３へ送信する際に、ＶｏＩＰアダプタ１１からこのＩＰアドレス情報に基づいてコンテンツサーバ６に接続して、立体音響データの配信を受けるようにする。このようにすることで、コンテンツサーバ６から配信された立体音響データに基づいて、受信側電話装置３だけでなく、発信側電話装置２の５．１チャンネルサラウンドシステムで立体音響を再生できるので、発信者及び受信者は、臨場感あふれる立体音響を同時に聞きながら通話することができる。
【００４５】
また、ＶｏＩＰアダプタ１１，２１に動画のデコーダを設けておき、コンテンツサーバ６から、コンテンツサーバの設置された場所の近傍における景色などの動画圧縮データを配信させて、ＶｏＩＰアダプタ１１，２１で伸長してモニタ２０，３０に出力させることで、発信者と受信者とで通話をしながら、立体音響とともに同じ動画を閲覧することが可能となる。これにより、発信者及び受信者は、通話中にさらに同じ雰囲気を共有することができるようになる。
【００４６】
さらに、コンテンツサーバから配信する立体音響データは、環境音に限るものではなく、音楽や効果音など様々な音響データを音響コンテンツとしてストリーミング配信させることが可能である。
【００４７】
なお、図１には、発信側電話装置２及び受信側電話装置３が固定電話の場合の例を示したが、本発明の実施例はこれに限るものではない。例えば、発信側及び受信側の少なくとも一方が移動可能な携帯電話であっても良い。図４は、電話装置が携帯電話の場合の実施例を示した構成図である。図４に示すように、発信側電話装置２や受信側電話装置３が携帯電話の場合、例えば無線ＬＡＮアダプタのような無線通信部５１，５２を接続または内蔵して、インターネット９と無線基地４１，４２を介して接続する構成であると良い。
【００４８】
また、発信側電話装置２及び受信側電話装置３に、５．１チャンネルサラウンドシステムを仮想的にヘッドホンで再現可能なオーディオアンプを内蔵したヘッドホン６１，６２を接続して、通話の音声と立体音響とを聞くことができるようにすることで、例えば、移動中に相手の周囲の雰囲気を体感しながら通話することができる。
【００４９】
【発明の効果】
本発明によれば、以下の効果が得られる。
【００５０】
（１）インターネット電話で通話する際に、受信者の電話番号とともに音響サーバの電話番号など接続情報を入力すると、受信側電話装置では、電話が発呼する際に送信側で指定された音響サーバの接続情報が通知され、この情報に基づいて音響サーバに接続して音響コンテンツを取得して、受信側電話装置に接続された音響再生手段で音響コンテンツを再生する。したがって、受信者は、発信者と通話しながら、発信者とほぼ同じ雰囲気を体感することができる。
【００５１】
（２）音響サーバは、音響再生手段で再生可能な立体音響の音響コンテンツをストリーミング配信するので、受信者と発信者とは、通話しながら音響コンテンツを再生することで、臨場感のある環境音や音楽などを同時に体感することができる。
【００５２】
（３）インターネット電話装置間で通話中のユーザに、通話の相手の音声だけでなく音響コンテンツを提供することができる。
【００５３】
（４）インターネット電話装置のユーザは、通話中に自然の環境音など音響コンテンツをリアルタイムに聞くことができる。
【図面の簡単な説明】
【図１】本実施の実施形態に係るインターネット電話システムの概略構成を示したブロック図である。
【図２】ＶｏＩＰアダプタの構成を示したブロック図である。
【図３】本発明の実施形態に係るインターネット電話システムの動作を説明するためのフローチャートである。
【図４】電話装置が携帯電話の場合の実施例を示した構成図である。
【符号の説明】
１−インターネット電話システム
２−発信側電話装置
３−受信側電話装置
４−電話番号サーバ
５，６−コンテンツサーバ
７，８−ＩＳＰ
９−インターネット
１１，２１−ＶｏＩＰアダプタ
１２，２２−電話機
１３，２３−オーディオアンプ
【図１】
2004266620.tif 000003
【図２】
2004266620.tif 000004
【図３】
2004266620.tif 000005
【図４】
2004266620.tif 000006